(57)【要約】【課題】電源からの電力を被供給装置へ良好に中継する。【解決手段】  第１フレーム９２３と、第２フレーム９２４と、第１フレーム９２３から突き出した、電源ボード９１の出力端子９１１に接触する電源側接触部と電源側接触部を第１フレーム９２３外へと付勢する電源側付勢部とを兼ねたコイルばね９２１と、第２フレーム９２４から突き出した、被供給装置の受電端子に接触する被給電側接触部９２２＿１と、被給電側接触部９２２＿１を第２フレーム９２４外へと付勢する被給電側付勢部９２２＿２と、コイルばね９２１と被給電側接触部９２２＿１とを電気的に繋ぐ配線９２５とを備えた。【選択図】        図６
2005037652.tif 000002
【特許請求の範囲】
【請求項１】
電力を出力するための出力端子を有する電源と、電力の供給を受けるための受電端子を有する被供給装置との間に配置され、前記電源の出力電力を前記被供給装置まで中継する給電装置であって、
フレームと、
前記フレームから突き出した、前記電源の出力端子に接触する電源側接触部と、
前記電源側接触部をフレーム外へと付勢する電源側付勢部と、
前記フレームから突き出した、前記被供給装置の受電端子に接触する被給電側接触部と、
前記被給電側接触部をフレーム外へと付勢する被給電側付勢部と、
前記フレームに沿って配設され、前記電源側接触部と前記被給電側接触部とを電気的に繋ぐ配線部とを備えたことを特徴とする給電装置。
【請求項２】
前記電源側接触部を複数備え、
前記被給電側接触部を、各電源側接触部に一対一に対応して複数備え、
前記配線部を、互いに対応した前記電源側接触部と前記被給電側接触部との各組合せに一対一に対応して複数備えたことを特徴とする請求項１記載の給電装置。
【請求項３】
前記電源側接触部が、前記電源の出力端子に接触して該出力端子表面を爬掻する先端を有するものであることを特徴とする請求項１記載の給電装置。
【請求項４】
前記電源側接触部と前記電源側付勢部とを兼ねた、線材からなるコイルばねを備え、
前記コイルばねは、線材の一端が該コイルばねの付勢方向に直線状に延びてなる先端を有するものであることを特徴とする請求項１記載の給電装置。
【請求項５】
前記フレームが、内部空間を挟む２枚の板状のフレーム部分を有するものであり、
前記配線部が前記フレームの内部空間に配設されたものであることを特徴とする請求項１記載の給電装置。
【請求項６】
前記フレームが、該フレームの外面に、前記配線部とは別の配線を固定するための配線固定部を備えたものであることを特徴とする請求項５記載の給電装置。
【発明の詳細な説明】
【技術分野】
【０００１】
本発明は、電力を出力するための出力端子を有する電源と、電力の供給を受けるための受電端子を有する被供給装置との間に配置され、電源の出力電力を被供給装置まで中継する給電装置に関する。
【背景技術】
【０００２】
画像形成装置において、表面に静電潜像が形成され、その静電潜像がトナーで現像されることによりトナー像が形成され、そのトナー像を担持する像担持体や、そのトナー像が形成されてから最終的に記録媒体上に転写されるまでの途中で一時的に転写される中間転写体等は、メンテナンスの簡便化等のために、多くの場合周辺の他部材とともにユニット化され、装置本体に着脱自在に保持されている。このユニットは、上記の静電潜像の形成、トナーによる現像、およびトナー像の転写等の際に電力を必要とし、その電力は装置本体の電源から供給される。このユニットに対する装置本体の電源からの電力供給には、装置本体側に、配線等によって電源の出力端子と電気的に接続された給電用コネクタを設け、ユニット側にはこの給電用コネクタに着脱自在に勘合される受電用コネクタを設けることが考えられる。この場合、ユニットが装置本体に搭載されると、双方のコネクタが勘合されることによって電源からユニットに至る電力供給路が形成される。しかし、このようにコネクタの勘合によって電力供給路を形成するという構成には以下のような問題がある。即ち、このようなコネクタの勘合による電力供給路の形成では、給電側および受電側双方のコネクタの正確な位置合わせが必要となるが、ユニット構造を有する画像形成装置において当然必要とされるユニット内の上記の像担持体や中間転写体等の装置本体に対する位置合わせを行いつつ、上記のコネクタの位置合わせを行なうことは非常に困難である。そこで、このようなユニットへ装置本体の電源から電力を供給するために、従来から以下のような構成が利用されている。
【０００３】
例えば、相手端子に押圧されることによって、この相手端子と相互に導通する接触端子を用いた構成が挙げられる。コネクタが、相手方のコネクタと完全に勘合しなければ良好な導通を得ることが困難であるのに対し、このような接触端子は相手端子に接触するだけで良好な導通を得ることができるので、この接触端子における相手端子に対する位置合わせは、コネクタにおける相手方のコネクタに対する位置合わせと比較して非常に容易である。このような接触端子を、配線等によって電源の出力端子と電気的に接続して給電用接触端子とし、この給電用接触端子を装置本体に、ユニット側で必要とされる数だけ設け、ユニット側に各給電用接触端子に対応する受電用接触端子を設ける。この場合には、ユニットが装置本体に搭載されると、互いに対応する給電用接触端子と受電用接触端子とが押圧されて装置本体の電源からユニットに至る電力供給路が形成される。
【０００４】
また、別の例として、一端が電源の出力端子に接触し、ユニットが装置本体に搭載されたときに、もう一端がユニットの受電端子に接続する板ばねを備えた給電装置が提案されている（例えば、特許文献１参照。）。この例では、上記の板ばねを装置本体に固定している。そして、ユニットが装置本体に搭載されると、この板ばねによって電源からユニットに至る電力供給路が形成される。
【特許文献１】特開平１０−３０１４６５号公報（第２−５頁、図４）
【発明の開示】
【発明が解決しようとする課題】
【０００５】
しかしながら、上記の例のうち、接触端子と配線で電力供給路を形成するという構成には以下のような問題がある。
【０００６】
装置本体の設計時には、給電用接触端子と電源の出力端子との間を電気的に繋ぐ配線の長さは、組み立てやメンテナンスの簡便さ等を考慮して長めに設計され、この配線を固定するためのクランプを装置本体の配線スペース内に多めに設けるように設計される。その結果、組立て時には、この配線の配設に多くの工数が費やされることとなり製造コストが増加するので問題である。
【０００７】
また、特許文献１に示す板ばねを利用して電力供給路を形成するという構成には以下のような問題がある。
【０００８】
装置本体において、上記のユニットが搭載される搭載スペースは、本体フレームの一部で囲われている。そして、上記の板ばねは、ユニットの受電端子と接触する一端が、この本体フレームに設けられた開口部から搭載スペース内に突出するように、この本体フレームに固定されている。ここで、本体フレームにおいて、板ばねに一端が突出する開口部は、ユニットの受電端子と接触する板ばねの動きを干渉しないように、余裕を持って大きめの開口部となっている。このような開口部は、ユニットにおいて電力供給を必要とする要素の数だけ設けられるが、近年、画像形成装置の小型化が進み、この複数の開口部相互間の間隔が狭くなっている。また、画像形成装置のフルカラー化に伴って、ユニットにおいて電力供給を必要とする要素の数が増加することによっても、複数の開口部相互間の間隔は狭くなっている。その結果、板ばねが固定されている本体フレームの強度が低下し、この強度低下によってユニットの保持が不安定になるという問題が生じている。
【０００９】
さらに、この板ばねの一端と受電端子との接触には、上述のコネクタの勘合ほどの正確さは必要ないもののある程度の位置合わせは必要である。しかしながら、上記の板ばねは、多くの場合、ユニットの受電端子と接触する一端とは離れた部分で本体フレームに固定されるため、このある程度の位置合わせすら困難であり、この困難さによる組立て工数の増加に起因して製造コストが増加し問題である。
【００１０】
以上、画像形成装置において、電源の出力電圧を上記のユニットまで中継する構成に対する問題点について説明したが、これらの問題点は、画像形成装置における上記の構成に限らず、電力を出力するための出力端子を有する電源と、電力の供給を受けるための受電端子を有する被供給装置との間に配置され、前記電源の出力電力を前記被供給装置まで中継する給電装置一般に対しても同様に生じる問題点である。
【００１１】
本発明は上記問題点を解決し、電源からの電力を被供給装置へ良好に中継する低コストの給電装置を提供することを目的とするものである。
【課題を解決するための手段】
【００１２】
本発明は、電力を出力するための出力端子を有する電源と、電力の供給を受けるための受電端子を有する被供給装置との間に配置され、上記電源の出力電力を上記被供給装置まで中継する給電装置であって、
フレームと、
上記フレームから突き出した、上記電源の出力端子に接触する電源側接触部と、
上記電源側接触部をフレーム外へと付勢する電源側付勢部と、
上記フレームから突き出した、上記被供給装置の受電端子に接触する被給電側接触部と、
上記被給電側接触部をフレーム外へと付勢する被給電側付勢部と、
上記フレームに沿って配設され、上記電源側接触部と上記被給電側接触部とを電気的に繋ぐ配線部とを備えたことを特徴とする。
【００１３】
例えば、上記被供給装置を、上述の画像形成装置におけるユニットとし、上記電源を上述の画像形成装置における装置本体の電源とするならば、この電源からユニットに至る電力供給路として、本発明の給電装置を適用することができる。この場合、装置本体にユニットを搭載したときに、上記被給電側接触部が上記被給電側付勢部によってユニットの受電端子に押圧されることによって、装置本体の電源からユニットに至る電力供給路が形成される。この電力供給路は、上記被給電側接触部がユニットの受電端子に接触しさえすれば形成される。つまり、ユニットの受電端子に対する上記被給電側接触部の位置合わせは、それほど厳密なものでなくても良い。従って、本発明の給電装置によれば、装置本体にユニットを搭載したときの、このユニットの受電端子の位置に合わせて、給電装置の設計時に上記被給電側接触部の位置を容易に決定することができる。さらに、本発明の給電装置によれば、給電装置の組立ては、上記の画像形成装置における装置本体の組立てとは独立して行なうことができるので、例えば、この組立て時に上記被給電側接触部の、上記フレームに対する位置合わせが必要であったとしても、そのような位置合わせを容易に実施することができる。そして、後はこのような給電装置を装置本体に取り付ければ、ユニットの受電端子と上記被給電側接触部との間の位置合わせは完了する。このように、本発明の給電装置は、上記被給電側接触部の位置合わせが容易である。
【００１４】
また、本発明の給電装置によれば、上述のように、上記の画像形成装置における装置本体の組立てとは独立して、給電装置の組立てを行なうことができる。ここで、例えば、本発明の給電装置とは異なり、上記被給電側接触部が直接本体装置に取り付けられているという構成における組立て作業について考えてみる。このような構成では、電源と上記被給電側接触部とを電気的に結ぶ配線の、装置本体内での配設作業が、この装置本体の組立て時における様々な制約を受けるため非常に困難である。一方、本発明の給電装置によれば、このような制約とは無関係に上記配線部の配設作業を実施することができる。このように、本発明の給電装置は、上記配線部の配設に要する作業が軽減されている。
【００１５】
以上説明したことから、本発明の給電装置は低コストで製造することができる。
【００１６】
また、本発明の給電装置では、上記被給電側接触部は上記フレームから突き出しており、このような被給電側接触部は細く形成することができる。この結果、例えば、本発明の給電装置を上述の画像形成装置の本体フレームに取り付けるにあたって、本体装置のユニット搭載スペースの内側に上記被給電側接触部が突出するために本体フレームに設けられる開口部は小さな開口で済む。従って、本発明の給電装置によれば、上記の本体フレームのような、取付け対象となるフレームの強度の低下を抑制して、例えば、複数の上記被給電側接触部を設けることができる。
【００１７】
ここで、本発明の給電装置が、
「上記電源側接触部を複数備え、
上記被給電側接触部を、各電源側接触部に一対一に対応して複数備え、
上記配線部を、互いに対応した上記電源側接触部と上記被給電側接触部との各組合せに一対一に対応して複数備えた」
という形態であることは好ましい。
【００１８】
このような本発明の給電装置によれば、複数の出力部を備えた電源からの電力を、例えば、電力の供給が必要な要素を複数有し、各要素に対応する受電端子を備えた被供給装置まで中継することができる。また、このような被供給装置を有する装置本体に本発明の給電装置を取付けるに当たっては、給電装置の複数の上記被給電側接触部の、被供給装置の各受電端子に対する位置合わせを一度に実施することができる。
【００１９】
また、本発明の給電装置において、上記電源側接触部が、上記電源の出力端子に接触してその出力端子表面を爬掻する先端を有するものであるという形態であることは好ましい。
【００２０】
例えば、上記電源の出力端子がハンダ等のように表面に絶縁酸化皮膜が生じ易いものである場合、上記のような電源側接触部は、先端で絶縁酸化皮膜を爬掻することにより、この絶縁酸化皮膜を破って中の導電部材と確実に接触することができる。従って、このような電源側接触部を備えた給電装置によれば、上記電源の接触端子表面における絶縁酸化皮膜の有無に関わらず、電源からの電力を安定して上記被供給装置まで中継することができる。従って、このような給電装置によれば、例えば、上記電源が、電源回路が構成された電源ボードであっても、その電源ボードに出力端子として特別な金属端子を設ける必要がなく、電源ボード上のハンダパターンを出力端子として直接利用できる。つまり、上記電源側接触部を備えた給電装置を利用すれば、このような電源ボード自体の省スペース化および製造コストの低下をも図ることができる。
【００２１】
さらに、本発明の給電装置が
「上記電源側接触部と上記電源側付勢部とを兼ねた、線材からなるコイルばねを備え、
上記コイルばねは、線材の一端がそのコイルばねの付勢方向に直線状に延びてなる先端を有するものである」
という形態であることはさらに好ましい。
【００２２】
このようなコイルばねは、コイルばね自体が上記電源側付勢部として働くとともに上記電源側接触部として働くことができる。さらに、このコイルばねの先端は接触する対象物を爬掻することもできるため、このようなコイルばねを備えた給電装置によれば、電源として、ハンダパターンからなる出力端子を有する電源ボード等を利用することができる。
【００２３】
また、本発明の給電装置において、
「上記フレームが、内部空間を挟む２枚の板状のフレーム部分を有するものであり、
上記配線部が上記フレームの内部空間に配設されたものである」
という形態はさらに好ましい。
【００２４】
このようなフレームによれば、上記配線部をこのフレームの内部空間に配設することにより、給電装置をよりコンパクトに構成することができる。
【００２５】
また、本発明の給電装置において、
「上記フレームが、そのフレームの外面に、上記配線部とは別の配線を固定するための配線固定部を備えたものである」
という形態はさらに好ましい。
【００２６】
このようなフレームを備えた給電装置によれば、例えば、この給電装置が搭載された装置内に、この給電装置の外面上を通る配線が存在する場合には、この配線を上記配線固定部で固定することができる。従って、このような給電装置は、この給電装置が搭載された装置内の、その装置自体の配線の配設にも寄与することができる。
【発明の効果】
【００２７】
以上説明したように、本発明の給電装置は低コストであり、電源からの電力を被供給装置へ良好に中継することができる。
【発明を実施するための最良の形態】
【００２８】
以下図面を参照して本発明の実施の形態を説明する。
【００２９】
以下では、本発明の給電装置を画像形成装置に適用した実施形態について説明する。まず、本発明の給電装置の説明に先立ち、画像形成装置の全体概要について説明する。
【００３０】
図１は、本発明の給電装置を適用した画像形成装置の一実施形態をフロント側から見たときの概略構成図、図２は、図１に示す画像形成装置の要部の構成図である。
【００３１】
図１に示す画像形成装置１００は、静電潜像を形成しトナーで現像してトナー像を形成し、そのトナー像を最終的に記録媒体上に転写および定着することによりその記録媒体上に定着トナー像からなる画像を形成する画像形成装置である。具体的には、この画像形成装置１００は、イエロー（Ｙ）、マゼンタ（Ｍ）、ブラック（Ｋ）およびシアン（Ｃ）の各色毎の作像エンジンを並列的に配置してなる所謂タンデム型のプリンタであり、単色の画像をプリントすることができるほか、かかる４色のトナー像からなるフルカラーの画像をプリントすることができる。
【００３２】
図１に示す画像形成装置１００には、プロセスカートリッジ１０１および本体部筐体１０２が備えられている。図１に示す画像形成装置１００には、プロセスカートリッジ１０１における後述の各部に印加する電圧を出力する電源ボード９１と、この電源ボード９１から出力された電圧をプロセスカートリッジ１０１における後述の各部に中継する給電装置９２がさらに備えられている。ここで、この給電装置９２が本発明の給電装置の一例に相当し、電源ボード９１が本発明にいう電源の一例に相当し、電源ボード９１から給電装置９２を介して電圧を印加される、プロセスカートリッジ１０１における後述の各部が本発明にいう被供給装置の一例に相当する。また、図１では、電源ボード９１と給電装置９２は点線で示されているが、これは、プロセスカートリッジ１０１と給電装置９２との間には図示しない本体フレームがあり、本来、フロント側からは電源ボード９１と給電装置９２とが不可視であるためである。
【００３３】
プロセスカートリッジ１０１は、図２に示すように、回転しながら静電潜像が形成され現像によりトナー像が形成される感光体１１Ｙ，１１Ｍ，１１Ｋ，１１Ｃが配備された感光体ユニット１と、回転しながら感光体１１Ｙ，１１Ｍ，１１Ｋ，１１Ｃからトナー像の転写を受ける中間転写体２１，２２とそれらの中間転写体２１，２２からトナー像の転写を受けるもう一つの中間転写体２３とが配備された中間転写体ユニット２を有する。感光体ユニット１は、中間転写体ユニット２に対し分離、結合自在であって、このプロセスカートリッジ１０１は、感光体ユニット１が中間転写体ユニット２に対し、仮配置された状態で装着、引出し自在に回転軸方向にスライドされる。本体部筐体１０２は、プロセスカートリッジ１０１のスライド装着を受けて、プロセスカートリッジ１０１を所期の動作位置に支持する。
【００３４】
また、画像形成装置１００には、露光ユニット３、現像ユニット４、給紙ユニット５、および定着ユニット６が、図１に示すような位置関係で配置されている。
【００３５】
露光ユニット３は、感光体ユニット１を構成する感光体１１Ｙ，１１Ｍ，１１Ｋ，１１Ｃに静電潜像を書き込むためのものであり、内部に図示しない半導体レーザ等の光源や、その光源から画像情報に基づいて発せられるビーム光Ｂｍを対応する感光体１１Ｙ，１１Ｍ，１１Ｋ，１１Ｃ上に導いて走査露光するためのポリゴンミラー、反射鏡、各種レンズ等からなる光学系部品等が適宜配置されている。この露光ユニット３は、上記ビーム光Ｂｍを現像ユニット４の隙間を通して感光体１１Ｙ，１１Ｍ，１１Ｋ，１１Ｃ上に走査露光する。これにより、感光体１１Ｙ，１１Ｍ，１１Ｋ，１１Ｃ上に所定の表面電位からなる静電潜像が形成される。
【００３６】
現像ユニット４には、図２に示すように、感光体１１Ｙ，１１Ｍ，１１Ｋ，１１Ｃと対向するような状態で配置された現像装置４１Ｙ，４１Ｍ，４１Ｋ，４１Ｃが備えられている。現像装置４１Ｙ，４１Ｍ，４１Ｋ，４１Ｃは、いずれも、所謂磁気ブラシ現像方式を採用するものであり、その装置内部にはトナーとキャリアを含む二成分現像剤が収容されている。また、現像装置４１Ｙ，４１Ｍ，４１Ｋ，４１Ｃは、感光体１１Ｙ，１１Ｍ，１１Ｋ，１１Ｃに所定の微小間隔を保って近接対向し回転する現像ロール４２Ｙ，４２Ｍ，４２Ｋ，４２Ｃを備えており、上記現像剤が現像ロール４２Ｙ，４２Ｍ，４２Ｋ，４２Ｃ上に磁気ブラシを形成し、これら現像ロール４２Ｙ，４２Ｍ，４２Ｋ，４２Ｃの回転に伴って感光体１１Ｙ，１１Ｍ，１１Ｋ，１１Ｃを摺擦する。また、現像ロール４２Ｙ，４２Ｍ，４２Ｋ，４２Ｃには、直流成分に交流成分を重畳した現像バイアス電圧が電源ボード９１から給電装置９２を介して印加されており、これにより感光体１１Ｙ，１１Ｍ，１１Ｋ，１１Ｃ上に形成された静電潜像にトナーが静電的に付着されてトナー像が形成される。
【００３７】
図１に示す給紙ユニット５には、複数枚の記録用紙Ｐを積み重ねて収容する給紙トレイ５１と、この給紙トレイ５１から記録用紙Ｐを１枚ずつ繰り出す繰出機構５２が備えられている。
【００３８】
定着ユニット６には、加熱ロール６１と、加圧ロール６２と、用紙排出ロール６３とが備えられている。
【００３９】
また、この画像形成装置１００には、給紙ユニット５６から繰り出された記録用紙Ｐを搬送する用紙搬送ロール７１と、記録用紙Ｐの搬送タイミングを整えるレジストロール７２と、中間転写体２３上のトナー像を記録用紙Ｐ上に転写する転写ロール７３と、記録用紙Ｐを装置外部に排出する用紙搬送ロール７４と、排出された用紙を蓄える排紙部７５とが備えられている。
【００４０】
さらに、この画像形成装置１００には、各色のトナーが収容されたトナーカートリッジ８１Ｙ，８１Ｍ，８１Ｋ，８１Ｃが備えられている。
【００４１】
また、図２に示すように、感光体１１Ｙ，１１Ｍ，１１Ｋ，１１Ｃの周面には、それらの感光体１１Ｙ，１１Ｍ，１１Ｋ，１１Ｃの表面を所定の背景部電位に帯電させる帯電ロール１２Ｙ，１２Ｍ，１２Ｋ，１２Ｃと、前述した現像ロール４２Ｙ，４２Ｍ，４２Ｋ，４２Ｃと、感光体１１Ｙ，１１Ｍ，１１Ｋ，１１Ｃの周面に残留付着するトナー等を一時的に保持する各トナー仮保持用ブラシロール１３Ｙ，１３Ｍ，１３Ｋ，１３Ｃとがいずれも回転可能に取り付けられている。このトナー仮保持用ブラシロール１３Ｙ，１３Ｍ，１３Ｋ，１３Ｃは、一時的に保持されたトナーを所定のタイミングで感光体１１Ｙ，１１Ｍ，１１Ｋ，１１Ｃ上に放出する。この感光体１１Ｙ，１１Ｍ，１１Ｋ，１１Ｃ上に放出されたトナーは、現像装置４１Ｙ，４１Ｍ，４１Ｋ，４１Ｃで回収される。
【００４２】
感光体１１Ｙ，１１Ｍ，１１Ｋ，１１Ｃは、そのいずれもが有機感光材料等からなる感光層が形成された同じ外径の円筒状のドラムからなるものである。
【００４３】
また帯電ロール１２Ｙ，１２Ｍ，１２Ｋ，１２Ｃは、いずれも、金属製のロール体の周囲に導電性の弾性発泡体を一定の厚さに被覆形成してなるものであって、その弾性発泡体層が感光体１１Ｙ，１１Ｍ，１１Ｋ，１１Ｃの表面に当接するように、図示しない支持フレームに回転可能に取り付けられている。また、帯電ロール１２Ｙ，１２Ｍ，１２Ｋ，１２Ｃは、上記ロール体に帯電用電圧が、電源ボード９１から給電装置９２を介して印加されて、その弾性発泡体層と感光体１１Ｙ，１１Ｍ，１１Ｋ，１１Ｃの周面との間における微小間隙で放電を発生させることにより、感光体１１Ｙ，１１Ｍ，１１Ｋ，１１Ｃの周面を帯電させるようになっている。
【００４４】
また、トナー仮保持用ブラシロール１３Ｙ，１３Ｍ，１３Ｋ，１３Ｃは、金属製のロール体の周囲に複数のブラシ毛が所定の分布密度となるように植設されている。これらのトナー仮保持用ブラシロール１３Ｙ，１３Ｍ，１３Ｋ，１３Ｃは、図示しない支持フレームに回転可能に取り付けられている。また、トナー仮保持用ブラシロール１３Ｙ，１３Ｍ，１３Ｋ，１３Ｃには、トナーを静電的に保持するための帯電用電圧が、電源ボード９１から給電装置９２を介して印加される。
【００４５】
さらに、図２に示す中間転写体２１，２２，２３の周面には、各中間転写体２１，２２，２３の周面に残留付着するトナー等を一時的に保持するトナー仮保持用ブラシロール２４ａ，２４ｂ，２４ｃが回転可能に取り付けられている。一時的に保持されたトナーは、所定のタイミングで中間転写体２１，２２，２３の周面に戻される。中間転写体２１，２２，２３の周面には、中間転写体２１，２２，２３の周面に残留付着するトナーを回収する回収ロール２５ａ，２５ｂ，２５ｃが回転可能に取り付けられており、この回収ロール２５ａ，２５ｂ，２５ｃでは、中間転写体２１，２２，２３の周面に残留付着するトナーが回収されるだけでなく、さらに一旦トナー仮保持用ブラシロール２４ａ，２４ｂ，２４ｃに保持された後中間転写体２１，２２，２３上に戻されたトナーも回収される。
【００４６】
中間転写体２１，２２，２３は、そのいずれも鉄、アルミニウム等からなる同じ外径の金属パイプに導電性シリコーンゴム等からなる厚さ０．１ｍｍ〜１０ｍｍ程度の低抵抗弾性層（抵抗値：１０2〜１０3Ω）を被覆したうえで、さらにその低抵抗弾性層の表面にフッ素ゴム等からなる厚さ３μｍ〜１００μｍの高離型層（抵抗値：１０5〜１０13Ω程度）を形成してなるドラム本体を回転支軸に支持した構造からなるものである。これらの中間転写体２１，２２，２３は、各回転支軸が支持フレーム２０に上下方向に所定の間隔をあけて平行するような状態で軸受けを介して回転可能に取り付けられている。
【００４７】
また、中間転写体２１，２２には、それら中間転写体２１，２２に感光体１１Ｙ，１１Ｍ，感光体１１Ｋ，１１Ｃ上のトナー像を静電的にそれぞれ一次転写させるため、それら中間転写体２１，２２本体の表面電位を所定の電位（例えば＋２５０Ｖ〜＋５００Ｖ程度）に保つための第１転写バイアスが図示しないバイアス電源から回転軸を介して印加されるようになっている。また、中間転写体２３には、その中間転写体２３に上記中間転写体２１，２２上のトナー像を静電的にそれぞれ二次転写させるために、その中間転写体２３本体の表面電位を所定の電位（例えば＋６００Ｖ〜＋１２００Ｖ程度）に保持するための第２転写バイアスが図示しないバイアス電源から回転軸を介して印加されるようになっている。
【００４８】
トナー仮保持用ブラシロール２４ａ，２４ｂ，２４ｃは、感光体ユニット２に使用しているトナー仮保持用ブラシロール１３Ｙ，１３Ｍ，１３Ｋ，１３Ｃと同じ構成のものであり、中間転写体２１，２２，２３に接触して回転するように取り付けられている。また、トナー仮保持用ブラシロール２４ｂ，２４ａには、トナーを静電的に保持するための帯電用電圧が、電源ボード９１から給電装置９２を介して印加されている。ここで、本実施形態では、トナー仮保持用ブラシロール２４ａには、実装上の制約から、上記の帯電用電圧は、電源ボード９１とは別の図示しない電源から印加される。
【００４９】
回収ロール２５ａ，２５ｂ，２５ｃは、中間転写体２１，２２，２３に接触して回転する金属ロールであって、中間転写体２１，２２，２３上の不要なトナーを静電的に吸着し得るバイアス電圧が印加されるバイアスロールである。この回収ロール２５ａ，２５ｂ，２５ｃに吸着され回収された廃トナーは、この回収ロール２５ａ，２５ｂ，２５ｃに当接したクリーニングブレードで掻き取られて搬送され、図示しない廃トナー回収容器に回収される。ここで、３つのうちの２つの回収ロール２５ｂ，２５ｃには、上記のバイアス電圧が、電源ボード９１から給電装置９２を介して印加される。また、本実施形態では、他の１つの回収ロール２５ａには、実装上の制約から、上記のバイアス電圧は電源ボード９１とは別の図示しない電源から印加される。
【００５０】
このように構成された画像形成装置１００におけるカラー画像の形成は、概略、次のようにして行なわれる。
【００５１】
先ず、感光体ユニット１において４つの感光体１１Ｙ，１１Ｍ，１１Ｋ，１１Ｃが帯電ロール１２Ｙ，１２Ｍ，１２Ｋ，１２Ｃにより一様に帯電された後、その帯電された各感光体１１Ｙ，１１Ｍ，１１Ｋ，１１Ｃの表面に露光ユニット３から各色に対応した各レーザビーム光ＢｍＹ，ＢｍＭ，ＢｍＫ，ＢｍＣが照射されて各色の静電潜像が形成される。次いで、各感光体１１Ｙ，１１Ｍ，１１Ｋ，１１Ｃ上の静電潜像は、現像ユニット４を構成する各現像装置４１Ｙ，４１Ｍ，４１Ｋ，４１Ｃによってそれぞれ現像されて各色のトナー像として可視化される。
【００５２】
続いて、各感光体１１Ｙ，１１Ｍ，１１Ｋ，１１Ｃ上に形成された各色のトナー像は、中間転写体２１、２２上に静電的に一次転写される。即ち、感光体１１Ｙ，１１Ｍに形成されたイエローおよびマゼンタのトナー像はマゼンタ、イエローの順で中間転写体２１上に、感光体１１Ｋ，１１Ｃに形成されたブラックおよびシアンのトナー像はシアン、ブラックの順で中間転写体２２上にそれぞれ重ね合わせられるように順次転写される。これにより、中間転写体２１上にはマゼンタのトナー像とイエローのトナー像とからなる多重トナー像から形成され、一方中間転写体２２上にはシアンのトナー像とブラックのトナー像とからなる多重トナー像が形成される。
【００５３】
続いて、中間転写体２１，２２上にそれぞれ形成された各多重トナー像は、中間転写体２３上に静電的に二次転写される。これにより、中間転写体２３上には、中間転写体２１上のトナー像（下層側からＭ，Ｙ）と中間転写体２２上のトナー像（下層側からＣ，Ｋ）とがこの順にそれぞれ転写されて下層側からＹ，Ｍ，Ｋ，Ｃの順で重ね合わされてなる多重トナー像が形成される。次いで、この４色からなる多重トナー像は、中間転写体２３の回転に伴って転写ロール７３と圧接する最終転写部に向けて搬送される。
【００５４】
このようなトナー像の形成に合わせて上記最終転写部に向けて給紙ユニット５から所定のタイミングで記録用紙Ｐが供給される。即ち、収容トレイ５１に収容された記録用紙Ｐが１枚だけ所定のタイミングで用紙繰出装置５２，用紙搬送ロール７１，レジストロール７２を経由して最終転写部に送り込まれる。これにより、中間転写体２３上の４色（Ｙ，Ｍ，Ｋ，Ｃ）のトナー像は、その最終転写部において、記録用紙Ｐ上に、加圧された状態で静電的に転写される。
【００５５】
次いで、この４色のトナー像が転写された記録用紙Ｐが定着ユニット６に送られ、その定着ユニット６を構成する加熱ロール６１と加圧ロール６２との間の定着ニップ部を通過することにより加熱および加圧されて定着処理され、その後、最終的に排紙部７５に排出される。以上のような一連の画像形成プロセスが実行されることにより、１枚の記録用紙Ｐ上にフルカラー画像が形成される。
【００５６】
次に、図１に示す給電装置９２について説明する。
【００５７】
図３は、給電装置を示す図である。
【００５８】
図３のパート（ａ）には給電装置９２の外観斜視図が示されている。さらに、パート（ｂ）には給電装置９２に取り付けられる電源ボード９１が示されており、パート（ｃ）にはパート（ａ）中で一点鎖線で囲まれた範囲Ｐの拡大図が示されている。
【００５９】
電源ボード９１のハンダ面９１ａには１１個の出力端子９１１が設けられている。一方、給電装置９２には１１個の電源側接触部９２１が電源側のフレーム９２３から突き出すように設けられている。また、電源ボード９２は、図中の矢印Ａに従って、ハンダ面９１ａが給電装置９２の電源側の第１フレーム９２３を向くように、給電装置９２に取り付けられる。その結果、給電装置９２の各電源側接触部９２１が、対応する位置にある、電源ボード９２の出力端子９１１に接触する。ここで、図３のパート（ｃ）に示すように電源側接触部９２１はコイルばねを構成する線材の一端がコイルばねの付勢方向に直線状に延びてなる先端９２１＿１を有している。各電源側接触部９２１におけるこの先端９２１＿１が、対応する出力端子９１１に接触する。この接触では、先端９２１＿１が出力端子９１１の表面を爬掻するので、仮に、出力端子９１１の表面に絶縁酸化膜が生じていたとしても、先端９２１＿１がこの絶縁酸化膜を破り、内部のハンダと接触する。その結果、電源側接触部９２１と出力端子９１１との電気的な接触における接触不良の発生が抑制される。
【００６０】
給電装置９２には、電源側とは反対側の第２フレーム９２４から突き出すように１１個の被給電側接触部９２２が設けられている。図３のパート（ａ）には、被給電側接触部９２２の１つが、この被給電側接触部９２２に対応するイエロー用の帯電ロール１２Ｙの回転軸に設けられた接続部１２Ｙａに挿入される様子が示されている。ここで、この他の被給電側接触部９２２も、それぞれ対応する接続部に挿入されるが、その詳細について後述する。また、図３のパート（ａ）では、図を見やすくするために、給電装置９２と帯電ロール１２Ｙとの間の本体フレームが省略されている。
【００６１】
給電装置９２内に配設された後述の配線によって、各電源側接触部９２１は対応する被給電側接触部９２２と電気的に繋がれている。従って、電源ボード９１の各出力端子９１１から出力された電圧は、それぞれ対応する電源側接触部９２１、後述の配線、被給電側接触部９２２を経由して、電源ボード９１の各出力端子９１１に対応する、図２に示すプロセスカートリッジ１０１の各部に印加される。
【００６２】
さらに、第１フレーム９２３および第２フレーム９２３は樹脂部材で構成されている。このため、各電源側接触部９２１の間、および各被給電側接触部９２２の間がそれぞれ良好に絶縁されている。給電装置９２では、各電源側接触部９２１間の間隔、および各被給電側接触部９２２間の間隔を狭くして、これらの接触部を配置することにより装置の小型化が図られているが、上記の良好な絶縁によって、各電源側接触部９２１の間、および各被給電側接触部９２２の間での電力のリーク等が抑制されている。
【００６３】
また、給電装置９２の第１フレーム９２３の外面には、画像形成装置１００において第１フレーム９２３の近傍を通る配線９２３ｃを固定するクランプ９２３ｄが４箇所に設けられており、図３のパート（ａ）には、これらのクランプ９２３ｄに上記の配線９２３ｃが固定されている様子が図示されている。
【００６４】
図４は、給電装置の内部構造を示す図である。
【００６５】
図４には、給電装置９２の内部構造を電源ボード９１側から見た図が、上記の第１フレーム９２３が省略されて示されている。図３を参照して説明したように、給電装置９２の１１個の電源側接触部９２１は、それぞれ対応する被給電側接触部９２２と一対一に配線９２５で結ばれている。また、各配線９２５は、上記の第２フレーム９２４に一体的に設けられたクランプ９２６で第２フレーム９２４に固定されている。
【００６６】
図５は、給電装置の配線をクランプが固定している様子を示す部分断面図である。
【００６７】
図５には、給電装置９２の配線９２５が、第２フレーム９２４から突出した２つの凸部からなるクランプ９２６に固定されている様子が模式的に示されている。
【００６８】
図６は、給電装置の内部構造を示す部分断面図である。
【００６９】
前述のように、配線９２５の一端には電源側接触部９２１が接続され、他端に被給電側接触部９２２が接続されている。配線と、電源側接触部９２１および被給電側接触部９２２との接続には、かしめ部材９２７が用いられている。
【００７０】
電源側接触部９２１は、コイルばねを構成する線材の一端がコイルばねの付勢方向に直線状に延びてなる先端９２１＿１を有している。前述のように、この先端９２１＿１がコイルばね本体によって電源ボード９１の出力端子９１１に押圧される。また、電源側接触部９２１には、第２フレーム９２４から突出している凸部９２４ａが嵌入している。さらに、電源側接触部９２１が、第１フレーム９２３から突出している円筒部９２３ｂに嵌入され、この円筒部９２３ｂの開口から先端９２１＿１が電源ボード９１に向かって突き出している。これにより、電源側接触部９２１が位置決めされる。
【００７１】
被給電側接触部９２２は、一端が配線９２５に接続されたコイルばね９２２＿２の他端に、棒状の凸部を有する端子９２２＿１が接続されて構成されている。ここで、コイルばね９２２＿２が、本発明の被給電側付勢部を兼ねている。
【００７２】
コイルばね９２２＿２には、第１フレーム９２３から突出している凸部９２３ａが嵌入されている。また、被給電側接触部９２２は、第２フレーム９２４から突出している円筒部９２４ｂに嵌入され、この円筒部９２４ｂの開口から端子９２２＿１の棒状の凸部が図２に示すプロセスカートリッジ１０１に向かって突き出している。図６には、この凸部がイエロー用の帯電ロール１２Ｙの回転軸に設けられた接続部１２Ｙａに挿入されている様子が示されている。
【００７３】
また、図６には、給電装置９２とプロセスカートリッジ１０１との間に介在し、給電装置９２が取り付けられる本体フレーム１０２ａの一部が示されている。給電装置９２の第２フレーム９２４から突出している上記の円筒部９２４ｂが、本体フレーム１０２ａに設けられた開口部１０２ａ＿１に嵌入されている。このような開口部１０２ａ＿１が、被給電側接触部９２２の数だけ本体フレーム１０２ａに設けられている。また、図６に示すように、この開口部１０２ａ＿１の径は、上記の円筒部９２４ｂの外径より若干大きい程度の小さな径である。従って、本実施形態では、本体フレーム１０２ａの強度の低下を抑制して、この本体フレーム１０２ａに複数の開口部１０２ａ＿１が設けられている。
【００７４】
以上で、給電装置９２の構造についての説明を終了し、以下では、この給電装置９２と図１に示す感光体ユニット１、中間転写体ユニット２、および現像ユニット４との接続の詳細について説明する。
【００７５】
図７は、図１に示す給電装置と感光体ユニットとの接続を示す外観斜視図であり、図８は、給電装置と感光体ユニットとの接続部を拡大した図である。ここで、図７では、図を見やすくするために、給電装置９２と感光体ユニット１との間の本体フレーム１０２ａ（図６参照）が省略されている。また、この後の説明で参照する図でも、この本体フレーム１０２ａは同様に省略されている。
【００７６】
ここで、図３から図６までの説明では、複数の電源側接触部に全て同じ符号を付し、また、複数の被給電側接触部にも全て同じ符号を付して説明した。しかし、図８以降の説明では、複数の電源側接触部それぞれを区別し、また、複数の被給電側接触部それぞれも区別して説明するために、複数の電源側接触部と複数の被給電側接触部とが、それぞれ末尾にアルファベットを付した符号で示されている。
【００７７】
図７には、給電装置９２と感光体ユニット１とが示されており、図８には、感光体１１Ｙ，１１Ｍ，１１Ｋ，１１Ｃと、帯電ロール１２Ｙ，１２Ｍ，１２Ｋ，１２Ｃと、トナー仮保持用ブラシロール１３Ｙ，１３Ｍ，１３Ｋ，１３Ｃとが、給電装置９２とともに示されている。ここで、図８に示されている、感光体、帯電ロール、およびトナー仮保持用ブラシロールに、図１に示す電源ボード９１から給電装置９２を介して電圧が印加される。
【００７８】
図８に示す給電装置９２の５つの被給電側接触部９２２ａ，９２２ｂ，９２２ｃ，９２２ｄ，９２２ｅのうち、最下段に実線で示されている被給電側接触部９２２ｄを除く４つが、それぞれ図中の矢印で対応付けられている、帯電ロールの受電部１２Ｙａ，１２Ｍａ，１２Ｋａ，１２Ｃａに挿入される。また、最下段に実線で示されている被給電側接触部９２２ｄが、図中の矢印で対応付けられている、シアン用のトナー仮保持用ブラシロール１３Ｃの受電部１３Ｃａに挿入される。
【００７９】
各被給電側接触部９２２ａ，９２２ｂ，９２２ｃ，９２２ｄ，９２２ｅは、それぞれ対応する電源側接触部９２１ａ，９２１ｂ，９２１ｃ，９２１ｄ，９２１ｅと電気的に接続されている。そして、これら被給電側接触部および電源側接触部を介して、各帯電ロール１２Ｙ，１２Ｍ，１２Ｋ，１２Ｃに、帯電用電圧が電源ボード９１から印加され、また、シアン用のトナー仮保持用ブラシロール１３ｃには、トナーを静電的に保持するための帯電用電圧が電源ボード９１から印加される。ここで、シアン用のトナー仮保持用ブラシロール１３Ｃの接続部１３Ｃａに印加された電圧は、図７に示す中継用の導体１ａを介して、シアン用以外の各トナー仮保持用ブラシロール１３Ｙ，１３Ｍ，１３Ｋの回転軸に印加される。これにより、全ての各トナー仮保持用ブラシロール１３Ｙ，１３Ｍ，１３Ｋ，１３Ｃにトナーを静電的に保持するための帯電用電圧が印加される。
【００８０】
図９は、図１に示す給電装置と現像ユニットとの接続を示す外観斜視図であり、図１０は、給電装置と現像ユニットとの接続部を拡大した図である。
【００８１】
図９には、給電装置９２と、現像ユニット４とが示されており、図１０には、現像ロール４２Ｙ，４２Ｍ，４２Ｋ，４２Ｃが給電装置９２とともに示されている。ここで、図１０に示されている現像ロールに、図１に示す電源ボード９１から給電装置９２を介して電圧を印加される。
【００８２】
図１０に示す４つの被給電側接触部９２２ｆ，９２２ｇ，９２２ｈ，９２２ｉが、それぞれ図中の矢印で対応付けられている、現像ロールの受電部４２Ｙａ，４２Ｍａ，４２Ｋａ，４２Ｃａに挿入される。
【００８３】
各被給電側接触部９２２ｆ，９２２ｇ，９２２ｈ，９２２ｉは、それぞれ対応する電源側接触部９２１ｆ，９２１ｇ，９２１ｈ，９２１ｉと電気的に接続されている。これらの接触部を介して、各現像ロール４２Ｙ，４２Ｍ，４２Ｋ，４２Ｃに、交流成分に直流成分を重畳した現像バイアス電圧が電源ボード９１から印加される。
【００８４】
図１１は、図１に示す給電装置と中間転写体ユニットとの接続を示す外観斜視図であり、図１２は、給電装置と中間転写体ユニットとの接続部を拡大した図である。
【００８５】
図１１には、給電装置９２と中間転写体ユニット２とが示されており、図１２には、トナー仮保持用ブラシロール２４ａ，２４ｂ，２４ｃと、回収ロール２５ａ，２５ｂ，２５ｃとが、給電装置９２とともに示されている。ここで、図１２に示されている、３つのうちの２つのトナー仮保持用ブラシロール２４ｂ，２４ｃと、３つのうちの２つの回収ロール２５ｂ，２５ｃに、図１に示す電源ボード９１から給電装置９２を介して電圧を印加される。
【００８６】
図１２の最下段に示す被給電側接触部９２２ｊが、図中の矢印で対応付けられている、トナー仮保持用ブラシロール２４ｂの受電部２４ｂ＿１に挿入され、図１２の下から２番目に示す被給電側接触部９２２ｋが、図中の矢印で対応付けられている、回収ロール２５ｂの受電部２５ｂ＿１に挿入される。
【００８７】
各被給電側接触部９２２ｊ，９２２ｋは、それぞれ対応する電源側接触部９２１ｊ，９２１ｋと電気的に接続されている。そして、これらの接触部を介して、トナー仮保持用ブラシロール２４ｂにはトナーを静電的に保持するための帯電用電圧が電源ボード９１から印加され、回収ロール２５ｂには不要なトナーを静電的に吸着し得るバイアス電圧が電源ボード９１から印加される。ここで、トナー仮保持用ブラシロール２４ｂに印加された電圧は、図１２に示す中継用の導体２ａを介して、図中最上段に示されているトナー仮保持用ブラシロール２４ｃの回転軸に印加される。さらに、回収ロール２５ｂに印加された電圧は、図１２に示す中継用の導体２ｂを介して、図中上から２番目に示されている回収ロール２５ｃの回転軸に印加される。また、図中上から３番目に示されている回収ロール２５ａの回転軸および図中上から４番目に示されているトナー仮保持用ブラシロール２４ａの回転軸には、実装上の制約から、他の回収ロールとトナー仮保持用ブラシロールに印加される電圧と同じレベルの電圧が、それぞれ図示しない電源から印加される。これにより、全ての各トナー仮保持用ブラシロール２４ａ，２４ｂ，２４ｃにトナーを静電的に保持するための帯電用電圧が印加され、全ての回収ロール２５ａ，２５ｂ，２５ｃに不要なトナーを静電的に吸着し得るバイアス電圧が印加される。
【００８８】
以上説明したように、給電装置９２によれば、電源ボード９１の各出力端子からの電圧を、プロセスカートリッジ１０１および現像ユニット４１内のそれぞれ対応するロールに印加することができる。また、この給電装置９２は、組立が容易であるため低コストで製造することができる。
【００８９】
尚、本実施形態では、配線の一端に、電源側接触部と電源側付勢部とを兼ねるコイルばねの一端がかしめ部材を用いて固定され、配線の他端に、一端が端子に固定されたコイルばねの他端がかしめ部材を用いて固定された例を挙げて説明したが、本発明の給電装置における電源側接触部から被給電側接触部に至る構成は、例えば、一端が電源側接触部と電源側付勢部とを兼ねるコイルばねに形成されている、配線を兼ねた一本の線材の他端に、一端が端子に固定されたコイルばねの他端がかしめ部材を用いて固定された構成であってもよく、あるいは、一端が電源側接触部と電源側付勢部とを兼ねるコイルばねに形成されているとともに、他端が被給電側接触部と被給電側付勢部とを兼ねるコイルばねに形成されて、配線をも兼ねた１本の線材であってもよい。
【００９０】
また、本実施形態では、電源側接触部と電源側付勢部とを兼ねる部材としてコイルばねを利用した例を挙げて説明したが、本発明の給電装置における電源側接触部と電源側付勢部とを兼ねる部材は、板ばね等であってもよい。同様に、被給電側接触部と被給電側付勢部とを兼ねる部材もコイルばねに限るものではなく板ばね等であってもよい。
【００９１】
さらに、本実施形態では、電源側接触部と電源側付勢部とを、コイルばねが兼ねている例を挙げて説明したが、本発明の給電装置における電源側接触部と電源側付勢部とは相互に異なる部材であってもよく、例えば、配線の一端に電源側接触部に相当する端子を接続し、この端子をコイルばねやゴム等でフレームの外側に付勢するという構成であってもよい。同様に、被給電側接触部と被給電側付勢部とは相互に異なる部材であってもよく、例えば、配線の一端に被給電側接触部に相当する端子を接続し、この端子をコイルばね等でフレームの外側に付勢するという構成であってもよい。
【図面の簡単な説明】
【００９２】
【図１】本発明の給電装置を適用した画像形成装置の一実施形態をフロント側から見たときの概略構成図である。
【図２】図１に示す画像形成装置の要部の構成図である。
【図３】給電装置を示す図である。
【図４】給電装置の内部構造を示す図である。
【図５】給電装置の配線をクランプが固定している様子を示す部分断面図である。
【図６】給電装置の内部構造を示す部分断面図である。
【図７】図１に示す給電装置と、感光体ユニットとの接続を示す外観斜視図である。
【図８】給電装置と感光体ユニットとの接続部を拡大した図である。
【図９】図１に示す給電装置と現像ユニットとの接続を示す外観斜視図である。
【図１０】給電装置と現像ユニットとの接続部を拡大した図である。
【図１１】図１に示す給電装置と中間転写体ユニットとの接続を示す外観斜視図である。
【図１２】給電装置と中間転写体ユニットとの接続部を拡大した図である。
【符号の説明】
【００９３】
１００    画像形成装置
１０１    プロセスカートリッジ
１０２    本体部筐体
１０２ａ    本体フレーム
１０２ａ＿１    開口部
１    感光体ユニット
１ａ    中継用の導体
１１Ｙ，１１Ｍ，１１Ｋ，１１Ｃ    感光体
１２Ｙ，１２Ｍ，１２Ｋ，１２Ｃ    帯電ロール
１２Ｙａ，１２Ｍａ，１２Ｋａ，１２Ｃａ    受電部
１３Ｙ，１３Ｍ，１３Ｋ，１３Ｃ    トナー仮保持用ブラシロール
１３Ｃａ    受電部
２    中間転写体ユニット
２ａ，２ｂ    中継用の導体
２０    支持フレーム
２１，２２，２３    中間転写体
２４ａ，２４ｂ，２４ｃ    トナー仮保持用ブラシロール
２４ｂ＿１    受電部
２５ａ，２５ｂ，２５ｃ    回収ロール
２５ｂ＿１    受電部
３    露光ユニット
４    現像ユニット
４１Ｙ，４１Ｍ，４１Ｋ，４１Ｃ    現像装置
４２Ｙ，４２Ｍ，４２Ｋ，４２Ｃ    現像ロール
４２Ｙａ，４２Ｍａ，４２Ｋａ，４２Ｃａ    受電部
５    給紙ユニット
５１    収容トレイ
５２    用紙繰出装置
６    定着ユニット
６１    加熱ロール
６２    加圧ロール
６３    用紙排出ロール
７１    用紙搬送ロール
７２    レジストロール
７３    転写ロール
７４    用紙搬送ロール
７５    排紙部
８１Ｙ，８１Ｍ，８１Ｋ，８１Ｃ    トナーカートリッジ
９１    電源ボード
９１ａ  ハンダ面
９１１    出力端子
９２    給電装置
９２１，９２１ａ，９２１ｂ，９２１ｃ，９２１ｄ，９２１ｅ，部９２１ｆ，９２１ｇ，９２１ｈ，９２１ｉ，９２１ｊ，９２１ｋ    電源側接触部
９２１＿１    先端
９２２，９２２ａ，９２２ｂ，９２２ｃ，９２２ｄ，９２２ｅ，９２２ｆ，９２２ｇ，９２２ｈ，９２２ｉ，９２２ｊ，９２２ｋ    被給電側接触部
９２２＿１    端子
９２２＿２    コイルばね
９２３    第１フレーム
９２３ａ    凸部
９２３ｂ  円筒部
９２３ｃ    配線
９２３ｄ    クランプ
９２４    第２フレーム
９２４ａ    凸部
９２４ｂ    円筒部
９２５    配線
９２６    クランプ
９２７    かしめ部材
【図１】
2005037652.tif 000003
【図２】
2005037652.tif 000004
【図３】
2005037652.tif 000005
【図４】
2005037652.tif 000006
【図５】
2005037652.tif 000007
【図６】
2005037652.tif 000008
【図７】
2005037652.tif 000009
【図８】
2005037652.tif 000010
【図９】
2005037652.tif 000011
【図１０】
2005037652.tif 000012
【図１１】
2005037652.tif 000013
【図１２】
2005037652.tif 000014